(57)【要約】【課題】健常者から、床ずれ予防、治療を要する患者に至るまで、使用者等に合わせて反発性を調整でき、且つギャッチベッドに適応させる構成とする。【解決手段】ギャッチベッド２上に載置するようにした、下層３と中間層４と上層５とで構成し、これら下層３と中間層４と上層５とを表地６で被覆する構成とする。前記中間層４を構成する分割片４ａ〜４ｆを、前記ギャッチベッド２の分割構造のボトム９にそれぞれ対応させる。前記ギャッチベッド２の第１湾曲ボトム１０ａに対応する分割片４ｂは、上面側に多数の切り溝ｄを形成し、膝ボトム９ｃと足ボトム９ｄとの間における第２湾曲ボトム１０ｂに対応する分割片４ｅは、下面側に多数の切り溝ｄを形成する。そして、前記分割片４ａ，４ｃ，４ｄ，４ｆは、様々な反発性の素材で構成したものを備えて、使用者等に対応して、入れ替えて、より適した寝姿勢保持と体圧分散性をもたらすようにする。【選択図】　　　　　　　図２
2004049414.tif 000002
【特許請求の範囲】
【請求項１】
下層と中間層と上層とで構成し、前記下層は衝撃緩和用素材で構成し、前記中間層は、分割構造のベッド装置のボトムに対応した複数の分割片で構成し、これら分割片は、それぞれ異なる反発性の素材のものを備えていて、それぞれ選択的に交換して中間層として構成可能とし、前記上層は厚さが前記下層および中間層に比較して薄手で、且つ同等以下の反発性の素材で構成して、これら下層と中間層と上層とを表地で被覆する構成としたことを特徴とする敷物装置。
【請求項２】
下層と中間層と上層とで構成し、前記下層は衝撃緩和用素材で構成し、前記中間層は、分割構造のベッド装置のボトムに対応した複数の分割片で構成し、これら分割片は、素材に機械的加工を施して、反発性を調整したものを備えていて、それぞれ選択的に交換して中間層として構成可能とし、前記上層は厚さが前記下層および中間層に比較して薄手で、且つ同等以下の反発性の素材で構成して、これら下層と中間層と上層とを表地で被覆する構成としたことを特徴とする敷物装置。
【請求項３】
前記ベッド装置は、傾斜機構によって起伏調節する構成の分割構造のボトムを備え、このボトムは、背に対応する背ボトムと、腰に対応する腰ボトムとの間に、適度な曲率で曲がる構成の第１の湾曲ボトムを配置し、前記腰ボトムに隣接する膝ボトムと、足ボトムとの間に、第２の湾曲ボトムを配置する構成とし、前記分割片は、背ボトム、第１湾曲ボトム、腰ボトム、膝ボトム、第２湾曲ボトム、足ボトムにそれぞれ対応した分割構成とすることを特徴とする請求項１または２記載の敷物装置。
【請求項４】
前記第１湾曲ボトムに対応する分割片には、上面側に、ボトム幅方向に沿う、多数の切り溝を形成したことを特徴とする請求項３記載の敷物装置。
【請求項５】
前記第２湾曲ボトムに対応する分割片は、下面側に、ボトム幅方向に沿う、多数の切り溝を形成したことを特徴とする請求項３記載の敷物装置。
【請求項６】
前記背ボトムに対応する中間層の分割片に、反発性を調整するための機械的加工を施すようにしたことを特徴とする請求項３記載の敷物装置。
【請求項７】
前記表地の内側に、前記下層、中間層、上層をそれぞれ別に装入して保持するための収容室を設けたことを特徴とする請求項１または２記載の敷物装置。
【請求項８】
前記分割片を個々に収容する収容袋を有し、この収容袋に分割片を収容した状態で、それぞれ選択的に交換して中間層として構成可能としたことを特徴とする請求項１ないし３記載のうち、いずれか１記載の敷物装置。
【請求項９】
前記表地は、伸縮性を兼ね備えた防水性の布部材で構成したことを特徴とする請求項１または２、７記載の敷物装置。
【発明の詳細な説明】
【０００１】
【発明の属する技術分野】
本発明は、健常者には、より快適な敷物装置を提供すると共にかかる健常者から、床ずれ予防、治療を要する患者に至るまで、使用者等に合わせて反発性を調整でき、且つギャッチベッド（背上げ膝上げ機能を有するベッド）に適応させる構成とした、敷物装置に関するものである。
【０００２】
【従来の技術】
高齢化社会に突入した現在、寝たきり等の入院患者数の増加と共に、褥瘡（じょくそう：床ずれ）発生の危険の高い患者が増加している。
以前、本出願人は、褥瘡対策を施したマットレスとして例えば特開平１１−１３７６１３号を提案している。この場合のマットレスでは、二層構造としており、通常使用対応の、比較的硬質素材で構成した第１マットレス（図示省略）と、床ずれ対策を施した例えば軟質な低反発ウレタンを用いた第２マットレス（図示省略）とを積層すると共に、これら第１マットレスと第２マットレスとを、表地に一体収容する構成としている。
前記マットレスによれば、床ずれ予防、治療を要する患者のみならず、健常者用のマットレスとしても使うことができるものとなっている。
【０００３】
【発明が解決しようとする課題】
しかしながら、上記マットレスでは、ギャッチ機能を有するベッド（背上げ膝上げ機能を有するベッド）に適応する構造とはなっておらず、ボトムの傾斜動作に追随しやすいマットレスが求められている。また、広く健常者から患者、老人が使えるようなものとするためには、使用者個々の好み、あるいは傷病状況に応じて、局所的、あるいは全体的な固さの調整をきくようにすることで達成可能であると考えられる。
本発明はこのような背景から提案されたものであって、健常者には、より快適な敷物装置を提供すると共にかかる健常者から、床ずれ予防、治療を要する患者に至るまで、使用者等に合わせて反発性を調整でき、且つギャッチベッドに適応させる構成とした、敷物装置を提供することを目的とする。
【０００４】
【課題を解決するための手段】
前記した課題を解決するために、本発明では、請求項１において、下層と中間層と上層とで構成し、前記下層は衝撃緩和用素材で構成し、前記中間層は、分割構造のベッド装置のボトムに対応した複数の分割片で構成し、これら分割片は、それぞれ異なる反発性の素材のものを備えていて、それぞれ選択的に交換して中間層として構成可能とし、前記上層は厚さが前記下層および中間層に比較して薄手で、且つ同等以下の反発性の素材で構成して、これら下層と中間層と上層とを表地で被覆する構成とした敷物装置を提案する。
また本発明では、請求項２において、下層と中間層と上層とで構成し、前記下層は衝撃緩和用素材で構成し、前記中間層は、分割構造のベッド装置のボトムに対応した複数の分割片で構成し、これら分割片は、素材に機械的加工を施して、反発性を調整したものを備えていて、それぞれ選択的に交換して中間層として構成可能とし、前記上層は厚さが前記下層および中間層に比較して薄手で、且つ同等以下の反発性の素材で構成して、これら下層と中間層と上層とを表地で被覆する構成とした敷物装置を提案する。
また本発明では、請求項３において、前記ベッド装置は、傾斜機構によって起伏調節する構成の分割構造のボトムを備え、このボトムは、背に対応する背ボトムと、腰に対応する腰ボトムとの間に、適度な曲率で曲がる構成の第１の湾曲ボトムを配置し、前記腰ボトムに隣接する膝ボトムと、足ボトムとの間に、第２の湾曲ボトムを配置する構成とし、前記分割片は、背ボトム、第１湾曲ボトム、腰ボトム、膝ボトム、第２湾曲ボトム、足ボトムにそれぞれ対応した分割構成とする敷物装置を提案する。
また本発明では、請求項４において、前記第１湾曲ボトムに対応する分割片には、上面側に、ボトム幅方向に沿う、多数の切り溝を形成した敷物装置を提案する。
また本発明では、請求項５において、前記第２湾曲ボトムに対応する分割片は、下面側に、ボトム幅方向に沿う、多数の切り溝を形成した敷物装置を提案する。
また本発明では、請求項６において、前記背ボトムに対応する中間層の分割片に、反発性を調整するための機械的加工を施すようにした敷物装置を提案する。また本発明では、請求項７において、前記表地の内側に、前記下層、中間層、上層をそれぞれ別に装入して保持するための収容室を設けた敷物装置を提案する。
また本発明では、請求項８において、前記分割片を個々に収容する収容袋を有し、この収容袋に分割片を収容した状態で、それぞれ選択的に交換して中間層として構成可能とした敷物装置を提案する。
さらに本発明では、請求項９において、前記表地は、伸縮性を兼ね備えた防水性の布部材で構成した敷物装置を提案する。
【０００５】
請求項１によれば、ベッド装置のボトムを傾斜させてもボトムの傾斜に敷物装置を追従させることができる。かかるベッド装置のボトム上の敷物装置の表地に、使用者が乗っても、衝撃緩和用素材で構成した下層で乗ったときの衝撃が吸収され、また異なる反発性の素材よりなる、複数の分割片で構成した中間層によって、偏荷重のかかる背中の体圧を好適に分散すると共に、体圧が分散されることで、寝姿勢保持が図られる。さらに、低摩擦性の素材で構成した上層によって、触感に違和感はなく、快適性の高いものとすることができる。
【０００６】
請求項２によれば、ベッド装置のボトムを傾斜させてもボトムの傾斜に敷物装置を追従させることができる。そして、素材に機械的加工を施して、反発性を調整した分割片を、それぞれ選択的に交換して中間層として用いることで、広く健常者から床ずれ予防、治療を要する患者に至るまで、その使用者に応じた反発性に調整することができ、体圧を好適に分散すると共に、寝姿勢保持が図られる。
【０００７】
請求項３によれば、傾斜機構をさせて、背上げ、脚上げ動作をさせると、背ボトムが傾斜し、背ボトムと腰ボトムとの間の第１湾曲ボトムが湾曲し、さらに膝ボトムと足ボトムとの間の第２湾曲ボトムが盛り上がるように湾曲する。
敷物装置における中間層は、前記背ボトム、第１湾曲ボトム、腰ボトム、膝ボトム、第２湾曲ボトム、足ボトムにそれぞれ対応して分割された分割片で構成してるので、敷物装置は前記ボトムの傾斜姿勢に追従することができる。
【０００８】
請求項４によれば、第１湾曲ボトムに対応する敷物装置の中間層の分割片は、上面側の多数の切り溝によって、第１湾曲ボトムの湾曲変形に無理なく倣い変形し、敷物装置は背ボトムから第１湾曲ボトムにかけての傾斜変形に追従する。
【０００９】
請求項５によれば、第２湾曲ボトムに対応する敷物装置の中間層の分割片は、下面側の多数の切り溝によって、第２湾曲ボトムの湾曲変形に無理なく倣い変形し、敷物装置は膝ボトムから、第２湾曲ボトム、足ボトムにかけての傾斜変形に追従する。
【００１０】
請求項６によれば、背ボトムに対応する敷物装置の中間層の分割片に、機械的加工を施したので、肩甲骨周辺にかかる体圧を好適に分散することができる。
【００１１】
請求項７によれば、表地の内側に、下層、中間層、上層をそれぞれの所定の収容室に装入して保持するようにしたので、それぞれの層を適宜、交換する作業が簡単である。
【００１２】
請求項８によれば、収容袋に分割片を収容した状態で、それぞれ選択的に交換して中間層として構成し、敷物装置を、使用者に対応した反発性に調整することができる。
【００１３】
請求項９によれば、表地内に収容した下層、中間層および上層に、外部からの水分、汚れ等が侵入するのを遮断して、感染予防に寄与することができ、且つ清拭等、清掃も容易である。
【００１４】
【発明の実施の態様】
以下、本発明にかかる敷物装置につき、一つの実施の態様を示し、添付の図面に基づいて説明する。
図１に敷物装置１を示す。この敷物装置１は、ギャッチベッド２上に載置するようにした、下層３と中間層４と上層５とで構成し、これら下層３と中間層４と上層５とを表地６で被覆する構成としている。
【００１５】
前記ギャッチベッド２は、脚部７上に支持したメインフレーム８に、傾斜機構（図示省略）によって分割構造のボトム９を起伏調節する構成のもので、このボトム９は、背に対応する背ボトム９ａと、腰に対応する腰ボトム９ｂとの間に、適度な曲率で曲がるように構成された第１の湾曲ボトム１０ａを配置し、前記腰ボトム９ｂに隣接する膝ボトム９ｃと、足ボトム９ｄとの間に、前記第１湾曲ボトム１０ａと同様の構造の第２の湾曲ボトム１０ｂを配置する構成としている。
【００１６】
前記敷物装置１において、図２に示すように、下層３は前記ギャッチベッド２におけるボトム９全体に載置可能な寸法を有し、衝撃緩和を目的として、例えばポリエステル繊維で身体の支持、衝撃の緩和といった柔軟さと底突きしない適度な剛性を併せ持つ素材で構成している。なお、かかる下層３には、ポリエステル他、ポリエチレン、ポリプロピレン繊維やこれらの複合繊維によって構成することもできる。
【００１７】
前記中間層４は、例えば厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材を用いることができ、前記分割構造のボトム９に対応して分割片４ａ，４ｂ，４ｃ，４ｄ，４ｅ，４ｆに分割して構成している。すなわち、これら分割片４ａ〜４ｆは、前記分割構造のボトム９である、背ボトム９ａ、第１湾曲ボトム１０ａ、腰ボトム９ｂ、膝ボトム９ｃ、第２湾曲ボトム１０ｂ、足ボトム９ｄにそれぞれ対応している。
【００１８】
前記第１湾曲ボトム１０ａに対応する分割片４ｂは、上面側に、ボトム幅方向に沿う、多数の切り溝ｄを形成している。
一方、また、前記膝ボトム９ｃと足ボトム９ｄとの間における第２湾曲ボトム１０ｂに対応する分割片４ｅは、下面側に、ボトム幅方向に沿う、多数の切り溝ｄを形成している。
【００１９】
そして、前記背ボトム９ａ、腰ボトム９ｂ、膝ボトム９ｃ、足ボトム９ｄに、それぞれ対応する分割片４ａ，４ｃ，４ｄ，４ｆは、様々な反発性の素材で構成したものを備えており、広く健常者から床ずれ予防、治療を要する患者に至るまで、使用者に対応して、入れ替えて局所的に異なる体圧に対応して固さを調整し、より適した寝姿勢保持と体圧分散性をもたらすようにしている。
【００２０】
前記上層５は、前記下層３，および中間層４に比較して厚さが薄く、反発性も前記中間層４を構成する素材と同等以下の素材（例えばウレタンフォーム材）で構成している。
【００２１】
さらに前記表地６には、伸縮性を兼ね備えた撥水性、または防水性の布地を用いることができる。かかる表地６は長手方向側面側に例えばファスナ（図示省略）を設けて、前記下層３、中間層４および上層５を出し入れ可能に一体収容するようにしている。
【００２２】
以上のような敷物装置１によれば、中間層４が、前記ボトム９に対応して分割片４ａ〜４ｆに分割しており、しかも前記背ボトム９ａと、腰ボトム９ｂとの間の第１湾曲ボトム１０ａに対応する分割片４ｂは、上面側に、ボトム幅方向に沿う、多数の切り溝ｄを形成しており、また、前記膝ボトム９ｃと足ボトム９ｄとの間における第２湾曲ボトム１０ｂに対応する分割片４ｅも、下面側に、ボトム幅方向に沿う、多数の切り溝ｄを形成しているので、ギャッチベッド２のボトム９上に載置して、前記ボトム９がどの様な傾斜ポジションにおいても、前記敷物装置１は、ボトム９になじみ、ボトム９に追従する（図１参照）。
【００２３】
そして、かかるギャッチベッド２のボトム９上に、前記敷物装置１を乗せて、使用者がこの敷物装置１上の表地６に乗っても、衝撃緩和用素材で構成した下層３で乗ったときの衝撃が吸収され、また中間層４によって、偏荷重のかかる背中の体圧が分散されることで、寝姿勢保持が図られる。さらに、比較的低反発性で、且つ厚さの薄いフォーム部材で構成した上層５によって、触感に違和感はなく、快適性の高いものとすることができる。
【００２４】
さらに前記中間層４のうち、ボトム９の背ボトム９ａ、腰ボトム９ｂ、膝ボトム９ｃ、足ボトム９ｄに対応する、分割片４ａ，４ｃ，４ｄ，４ｆは、厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材を用いて、様々な反発性のものを備えているので、広く健常者から床ずれ予防、治療を要する患者に至るまで、使用者に対応して、入れ替えて局所的に異なる体圧に対応して固さを調整し、より適した寝姿勢保持と体圧分散性をもたらすことができる。
【００２５】
なお、敷物装置１の表地６には、伸縮性を兼ね備えた撥水性、または防水性の布地を用いているので、表地６内に収容した下層３、中間層４および上層５に、外部からの水分、汚れ等が侵入するのを遮断して、感染予防に寄与することができ、且つ清拭等、清掃も容易である。
【００２６】
また本発明にかかる敷物装置１では、表地６の内側に、下層３、中間層４、上層５をそれぞれ出し入れ可能に保持するために、仕切１１によって収容室Ｃ３，Ｃ４ａ，Ｃ４ｂ，Ｃ４ｃ，Ｃ４ｄ，Ｃ４ｅ，Ｃ５を構成することもできる。
【００２７】
かかる敷物装置１によれば、それぞれの層を適宜、交換するような作業を容易化することができる。
【００２８】
さらに本発明にかかる敷物装置１では、図示は省略するが、前記中間層４を構成する背ボトム９ａに対応する分割片４ａには、使用者の身体のうち、体圧がかかる肩甲骨周辺がもたらされるので、前記分割片４ａに反発性を調整するためのプロファイル加工、プレス打ち抜き、くり抜き、熱プレス加工等の機械的加工を施すようにすることもできる。この際、使用者の仙骨周辺は、背ボトム９ａと、腰ボトム９ｂとの間の第１湾曲ボトム１０ａに対応する分割片４ｂにもたらされるようになっている。なお、前記分割片４ｂは上面側に、ボトム幅方向に沿う、多数の切り溝ｄを形成して反発性を調整してあり、ギャッチベッド２におけるボトム９の第１湾曲ボトム１０ａになじみやすいようにしている。
【００２９】
このような敷物装置１によれば、その背ボトム９ａに対応する分割片４ａの反発性を緩和することができ、人体の肩甲骨周辺の体圧を受け止め、好適に分散することができる。また、その際、人体の仙骨周辺からの体圧は、背ボトム９ａから第１湾曲ボトム１０ａに対応する、分割片４ａから分割片４ｂにより受け止め、体圧を好適に分散することができる。
【００３０】
さらに本発明にかかる敷物装置１では、図４に示すように様々な素材の分割片４ａ〜４ｆによって構成した中間層４を、表地６の内側の、下層３と上層５間に、一層出し入れしやすくするために、分割片４ａ〜４ｆをそれぞれ予め収容袋Ｓ４ａ，Ｓ４ｂ，Ｓ４ｃ，Ｓ４ｄ，Ｓ４ｅ，Ｓ４ｆに収容して出し入れするようにすることもできる。なお、これら収容袋Ｓ４ａ〜Ｓ４ｆを、前記表地６内に収容する際、互いにずれないようにするために、隣接する袋同士を面ファスナ（図示省略）によって係着連結するようにしてもよい。
【００３１】
このような敷物装置１によれば、予め収容袋Ｓ４ａ〜Ｓ４ｆに分割片４ａ〜４ｆを収容した状態で表地６内に収容するので、分割片４ａ〜４ｆ同士が直接触れることはなく円滑に出し入れができ、特に一部の箇所の分割片を交換する際の作業が容易となり、一層、取扱い性が向上する。
【００３２】
【発明の効果】
本発明によれば、
（１）ベッド装置のボトムを傾斜させてもボトムの傾斜に敷物装置を追従させることができる。かかるベッド装置のボトム上の敷物装置の表地に、使用者が乗っても、衝撃緩和用素材で構成した下層で乗ったときの衝撃が吸収され、また異なる反発性の素材よりなる、複数の分割片で構成した中間層によって、偏荷重のかかる背中の体圧を好適に分散すると共に、体圧が分散されることで、寝姿勢保持が図られる。さらに、低摩擦性の素材で構成した上層によって、触感に違和感はなく、快適性の高いものとすることができる。
（２）ベッド装置のボトムを傾斜させてもボトムの傾斜に敷物装置を追従させることができる。そして、軟質性素材に機械的加工を施して、反発性を調整した分割片を、それぞれ選択的に交換して中間層として用いることで、広く健常者から床ずれ予防、治療を要する患者に至るまで、その使用者に応じた反発性に調整することができ、体圧を好適に分散すると共に、寝姿勢保持が図られる。
（３）中間層を、分割構造のベッド装置のボトムの連結箇所に対応して機械的加工を施す構成としたので、ベッド装置のボトムの傾斜に敷物装置を追従させることができる。
（４）中間層の、体圧がかかる肩甲骨周辺や、仙骨周辺に対応する箇所に機械的加工を施したので、かかる箇所の反発性が緩和され、体圧を好適に分散することができる。
（５）下層と中間層と上層とを、互いに接着して表地で覆ったことで、一体感あるマットレスとして使用することができ、取扱い性がよい。
（６）下層と中間層と上層とを、外枠体により外周部を取り囲んで一体的に保持して、表地で覆う構成としたことにより、取扱い性が向上する。
（７）表地の内側に、下層、中間層、上層をそれぞれの所定の収容室に装入して保持するようにしたので、それぞれの層を適宜、交換する作業が簡単である。
（８）収容袋に分割片を収容した状態で、それぞれ選択的に交換して中間層として構成し、敷物装置を、使用者に対応した反発性に調整することができる。
（９）表地内に収容した下層、中間層および上層に、外部からの水分、汚れ等が侵入するのを遮断して、感染予防に寄与することができ、且つ清拭等、清掃も容易である。
【００３３】
【図面の簡単な説明】
【図１】本発明にかかる敷物装置をギャッチベッドに配置したところを示す、側面図である。
【図２】図１に示す敷物装置の断面説明図である。
【図３】本発明にかかる敷物装置の別例の構成を示す、外観斜視図である。
【図４】本発明にかかる敷物装置の別例の構成を示す、外観斜視図である。
【符号の説明】
１　　　　　　　　　　　　　　　　　　　　　　敷物装置
２　　　　　　　　　　　　　　　　　　　　　　ギャッチベッド
３　　　　　　　　　　　　　　　　　　　　　　下層
４　　　　　　　　　　　　　　　　　　　　　　中間層
４ａ〜４ｆ　　　　　　　　　　　　　　　　　　分割片
５　　　　　　　　　　　　　　　　　　　　　　上層
６　　　　　　　　　　　　　　　　　　　　　　表地
７　　　　　　　　　　　　　　　　　　　　　　脚部
８　　　　　　　　　　　　　　　　　　　　　　メインフレーム
９　　　　　　　　　　　　　　　　　　　　　　ボトム
９ａ　　　　　　　　　　　　　　　　　　　　　背ボトム
９ｂ　　　　　　　　　　　　　　　　　　　　　腰ボトム
９ｃ　　　　　　　　　　　　　　　　　　　　　膝ボトム
９ｄ　　　　　　　　　　　　　　　　　　　　　足ボトム
１０ａ　　　　　　　　　　　　　　　　　　　　第１湾曲ボトム
１０ｂ　　　　　　　　　　　　　　　　　　　　第２湾曲ボトム
１１　　　　　　　　　　　　　　　　　　　　　仕切
Ｃ３，Ｃ４ａ，Ｃ４ｂ，Ｃ４ｃ，Ｃ４ｄ，Ｃ４ｅ，Ｃ４ｆ，Ｃ５　収容室
Ｓ４ａ，Ｓ４ｂ，Ｓ４ｃ，Ｓ４ｄ，Ｓ４ｅ，Ｓ４ｆ　　　　　　収容袋
【図１】
2004049414.tif 000003
【図２】
2004049414.tif 000004
【図３】
2004049414.tif 000005
【図４】
2004049414.tif 000006